(57)【要約】【課題】  むだ時間の変動を抑制するとともに、流動媒体の循環を安定させることで、応答性を向上させ、効率的に蒸気を発生させる。【解決手段】  所定の燃料を燃焼させ、流動媒体を炉内で循環させて、蒸気を発生するボイラ装置であって、燃料と流動媒体を流動化させて燃焼する燃焼炉３と、燃焼炉３と連通する一のラインから分岐した、焼却物から流動媒体を分離する複数のサイクロン６と、流動媒体を水との間で熱交換を行う熱交換部７と、熱交換した流動媒体を燃焼炉３に戻す複数の循環ライン１３と、戻す流動媒体の量を増減させ、燃焼炉３内の温度を調整する複数の循環バルブ１４と、燃焼炉３内の設定温度に基づき、各循環バルブ１４の開度を制御する制御部と、を備え、制御部は、各循環バルブ１４の開度がほぼ均一となるように制御する構成としてある。【選択図】    図４
2010145018.tif 000002
【特許請求の範囲】
【請求項１】
所定の燃料を燃焼させるとともに、流動媒体を炉内で循環させて、蒸気を発生させるボイラ装置であって、
燃料と流動媒体を流動化させて燃焼する燃焼炉と、
前記燃焼炉と連通する一のパスと、
前記一のパスから分岐して、前記燃焼炉とそれぞれ連通する、焼却物から流動媒体を分離する複数のサイクロンと、
前記サイクロンで分離された流動媒体と水との間で熱交換を行わせる熱交換部と、
前記サイクロン毎に設けられ、熱交換を行った流動媒体を前記燃焼炉に戻す複数の循環ラインと、
前記各循環ラインに設けられ、前記熱交換を行った流動媒体の戻す量を増減させ、前記燃焼炉内の温度を調整する複数の循環バルブと、
前記燃焼炉内の設定温度に基づき、前記各循環バルブの開度を制御する制御部と、を備え、
前記制御部は、所定の制約条件に基づいて、前記各循環バルブの開度がほぼ均一となるように制御することを特徴とするボイラ装置。
【請求項２】
前記制御部は、前記循環バルブの平均開度に対して一定の開度範囲以内とする制約条件に基づき、前記各循環バルブの開度を制御する請求項１記載のボイラ装置。
【請求項３】
前記サイクロンを少なくとも三基備えるとともに、これに対応して前記循環ラインと前記循環バルブとが各々設けられ、
前記制御部は、前記サイクロンのうち、流動媒体が流入する入口が隣接する特定の前記サイクロンに対応する二つの循環バルブをほぼ同じ開度となるように制御する請求項１又は２記載のボイラ装置。
【請求項４】
前記制御部は、操作変数の操作量変化に伴う制御変数の制御量変化を、当該ボイラ装置を同定する予め定めた動特性モデルから予測し、この予測値に基づいて算出される操作量を入力するモデル予測制御を行う請求項１〜３のいずれか一項に記載のボイラ装置。
【請求項５】
所定の燃料を燃焼させるとともに、流動媒体を炉内で循環させて、蒸気を発生させるボイラ装置の制御方法であって、
前記ボイラ装置は、燃料と流動媒体を流動化させて燃焼する燃焼炉と、
前記燃焼炉と連通する一のパスと、
前記一のパスから分岐して、前記燃焼炉とそれぞれ連通する、焼却物から流動媒体を分離する複数のサイクロンと、
前記サイクロンで分離された流動媒体と水との間で熱交換を行わせる熱交換部と、
前記サイクロン毎に設けられ、熱交換を行った流動媒体を前記燃焼炉に戻す複数の循環ラインと、
前記各循環ラインに設けられ、前記熱交換を行った流動媒体の戻す量を増減させ、前記燃焼炉内の温度を調整する複数の循環バルブと、
前記燃焼炉内の設定温度に基づき、前記各循環バルブの開度を制御する制御部と、を備え、
前記制御部が、前記循環バルブの平均開度に対して一定の開度範囲以内とする制約条件に基づき、前記各循環バルブの開度を制御することを特徴とするボイラ装置の制御方法。
【請求項６】
前記ボイラ装置は、前記サイクロンを少なくとも三基備えるとともに、これに対応して前記循環ラインと前記循環バルブとが各々設けられ、
前記制御部が、前記サイクロンのうち、流動媒体が流入する入口が隣接する特定の前記サイクロンに対応する二つの循環バルブをほぼ同じ開度となるように制御する請求項５記載のボイラ装置の制御方法。
【発明の詳細な説明】
【技術分野】
【０００１】
本発明は、蒸気を発生させるボイラ装置に関し、特に、所定の流動媒体と水との間で熱交換を行い、発熱量の異なる様々な燃料を燃焼させて蒸気を発生させるボイラ装置に関する。
【背景技術】
【０００２】
一般的なボイラ装置は、重油等の燃料を燃焼させ、燃焼炉内を循環する水を加熱、沸騰させ、蒸気を発生させる。
このようなボイラ装置は、下流側のタービン等によって発電される電力量が安定して確保されるべく、発生する蒸気量が一定となるように制御されている。
ところが、蒸気量は、投入される燃料の発熱量に依存することから、燃料の種類や、形態が異なると、発生する蒸気量も変動する。
このような変動を抑えるために、ボイラ出口の圧力制御値と圧力設定値とに基づき、ボイラ装置を同定した動特性モデルを作成し、未来の圧力制御値を予測するとともに、この予測値から最適な圧力設定値を算出するモデル予測制御を行い、燃料の供給量を調整する制御方法が提案されている（例えば、特許文献１）。
【０００３】
【特許文献１】特開平１１−２９４７４１号公報
【発明の開示】
【発明が解決しようとする課題】
【０００４】
ところで、ボイラ装置には、珪砂などからなる流動媒体を循環させ、この流動媒体と水との間で熱交換を行い、蒸気を発生させる特殊なボイラ装置がある。
このようなボイラ装置として、循環流動層ボイラと称されるものがある。
図４に、循環流動層ボイラの構成を模式的に示す。
同図に示す循環流動層ボイラ１ａは、石炭を主な燃料とし、バイオマスや廃プラスチック、廃タイヤ、汚泥、スラッジなどの産業廃棄物も燃料として用いることができる燃焼装置で、粉砕したこれらの燃料を珪砂等の流動媒体とともに流動化させた流動層を形成して燃焼し、加熱された流動媒体と水との間で熱交換を行い、蒸気を発生させるようになっている。
【０００５】
具体的には、この循環流動層ボイラ１ａは、石炭などの種々の固形燃料が収納されたバンカー２と、固形燃料と珪砂などの流動媒体を空気によって流動化させた流動層を燃焼させる燃焼炉３と、焼却物から流動媒体を分離するサイクロン６と、分離した流動媒体と循環水との間で熱交換を行う熱交換器７と、熱交換を行った流動媒体を再び燃焼炉３に戻す循環ライン１３と、蒸気を発生させる蒸気ドラム９などが設けられている。
そして、この循環流動層ボイラ１ａでは、石炭などの種々の固形燃料やこの固形燃料の燃焼に伴い発生する硫黄酸化物を除去する脱硫剤となる石灰石を、投入口３ａから燃焼炉３に投入するとともに、この固形燃料を、燃焼炉３下方に位置するデンスベット部３ｂに集積した比較的粒径の大きい珪砂や砂利により、攪拌して粉砕し、この粉砕した燃料と流動媒体とが混在したソリッドを空気によって流動化させて、燃焼するようになっている。
【０００６】
このように循環流動層ボイラ１ａでは、種々の固形燃料を用いることから、投入される燃料に応じて発熱量も変化してしまい、燃料の投入量に対する蒸気の発生量が一律に定まらず、安定した蒸気量を確保することが困難であった。
また、投入される石炭等の固形燃料は、粉末、塊状と形態が様々であり、均一な大きさとすることができない。そのため、燃料の形態の大きさに応じて、燃焼速度が変動することから、投入した燃料のエネルギー量から必要空気量を求めて制御を行う既存の自動燃焼制御（ＡＣＣ）では、燃焼速度の変動に対応できず、燃焼を効率よく制御することができなかった。
【０００７】
また、この循環流動層ボイラ１ａは、流動媒体を燃焼炉３内で循環させつつ、この流動媒体と水との間で熱交換を行うようになっている。
具体的には、燃焼炉３で加熱された流動媒体を、熱交換器７において循環水と熱交換させた後、循環ライン１３を介して、再び燃焼炉３に戻すサイクルを繰り返すようになっている。
このように循環流動層ボイラ１ａでは、流動媒体を介して伝熱することから、投入する燃料の変化が、蒸気発生量の変化として現れるまでに、むだ時間が生じる。
【０００８】
ここで、図６に、従来の制御における燃料の投入量を時間の経過とともに変化させた場合の蒸気の発生量の変化を示す。
同図に示すように、燃料をカットした場合でも、しばらくの間、流動媒体が有する余熱により、継続して蒸気が発生するとともに、燃料の投入量を増加した場合でも、蒸気の発生が遅れる、所謂、むだ時間が生じてしまう。
また、上記のように、燃料の種類、燃料の形態が様々で、発熱量や燃焼速度が変化するため、むだ時間も一定ではなく、むだ時間の変動が生じている。すなわち、この循環流動層ボイラ１ａは、目標値として蒸気の発生量を変動させた場合には、既存のＰＩＤ制御のような追従制御では、効率的な制御ができず、ボイラ監視員が経験則に基づいて制御量の変化を予測し、手動で操作するようなフィードフォワード制御を行う場合もあった。
【０００９】
また、この循環流動層ボイラ１ａは、遠心力により焼却物から排ガスと流動媒体を分離して、流動媒体を含む粒子を捕集する４基のサイクロン６ａ〜６ｄが設けられており、分離された流動媒体は、外部の熱交換器７において水と熱交換させた後、４基のサイクロン６毎に設けられた循環ライン１３ａ〜１３ｄを介して、再び燃焼炉３に戻される。
このとき戻される流動媒体の量は、循環ライン１３毎に設けられた循環バルブ１４ａ〜１４ｄの開度で定まり、これによって、燃焼炉３内の温度を調整することができるようになっている。
すなわち、各循環バルブ１４を開くと、各サイクロン６への流動媒体の流入量が増加するとともに、燃焼炉３に戻る流動媒体の量が増加し、燃焼炉３内の温度を下げることができる。また、各循環バルブ１４を閉めると、各サイクロン６への流動媒体の流入量が減少するとともに、燃焼炉３に戻る流動媒体の量を減少させ、燃焼炉３内の温度を上げることができる。
【００１０】
ところが、この循環流動層ボイラ１ａでは、構造的な特徴から、以下のような問題が生じていた。
図５は、燃焼炉３から各サイクロン６に亘る部分の構成を模式的に示す、上方から見た断面図である。
同図に示すように、燃焼炉３から各サイクロン６までは、一の流路からなるパス４によって連結されている。そして、パス４の終端部において、各サイクロン６ａ〜６ｄに分岐している。
また、各サイクロン６ａ〜６ｄの入口付近には、温度計５ａ〜５ｄが各々対応して設けられ、各サイクロン６ａ〜６ｄに流入する流動媒体の温度を計測するとともに、設定された温度に基づいて、各循環バルブ１４の開度をＰＩＤ制御するようになっている。
このＰＩＤ制御では、循環バルブ１４毎に、独立したＰＩＤパラメータが設定され、設定された温度になるように、バルブ開度を制御している。
【００１１】
しかしながら、上述したようにパス４はサイクロン６毎に物理的に区画されていないことから、各ＰＩＤ制御に干渉を生じさせていた。
具体的には、例えば、サイクロン６ｂの入口温度が高くなったとすると、設定温度を保つように、循環バルブ１４ｂを開き、温度を下げようとする。その結果、サイクロン６ｂへの流動媒体の流入量は、増加することになる。ところが、各サイクロン６は、一のパス４で連結されていることから、サイクロン６ｂへの流動媒体の流入量が増加すると、このサイクロン６ｂ入口に近接するサイクロン６ａ入口とサイクロン６ｃ入口への流動媒体の流入量が減少してしまうことになる。その結果、サイクロン６ａとサイクロン６ｃの入口温度が高くなり、今度は、設定温度を保つように、循環バルブ１４ａと循環バルブ１４ｃを開き、温度を下げようと制御する。
そして、循環バルブ１４ａと循環バルブ１４ｃを開くと、サイクロン６ａ入口とサイクロン６ｃ入口への流動媒体の流入量が増加する反面、サイクロン６ｂへの流動媒体の流入量が減少してしまい、再びサイクロン６ｂの入口温度が高くなってしまう事態が生じていた。
このような干渉は、特に、入口が近接するサイクロン６ｂとサイクロン６ｃの間で著しかった。
【００１２】
このように、各サイクロン６は一のパス４で連結されているため、一のサイクロン６の温度バランスが崩れると、各サイクロン６に連鎖的に波及してしまうことから、燃焼炉内の温度を安定して制御することが困難であった。
燃焼炉内の温度は、蒸気の発生量にも影響を及ぼすことから、目標値となる蒸気発生量を変動させた場合において、速い応答性が要求されているにもかかわらず、このような干渉により応答特性が低下していた。
【００１３】
特に、各循環バルブ１４の開度のバラツキが大きくなると、流動媒体や粉砕された燃料からなる流動層が安定して確保できなくなり、ひいては、循環流動層ボイラ１ａを緊急停止せざるを得ない事態に至ることもあり、ボイラ監視員は、各循環バルブ１４の開度のバラツキを監視しつつ、各サイクロン６の入口温度の設定値を調整していた。このような干渉は、入口が近接するサイクロン６ｂとサイクロン６ｃの間で著しく、ボイラ監視員の経験則に基づいた調整に頼らざるを得なかった。
【００１４】
また、循環流動層ボイラ１ａは、燃料節約の観点から、燃焼炉３内の酸素濃度（Ｏ２）はできるだけ低く抑えることが好ましく、環境面から硫黄酸化物（ＳＯｘ）を一定値以下に抑えることが要求されている。
例えば、硫黄酸化物（ＳＯｘ）が、管理上限値を超えた場合には、まず、二次空気ポンプ１２を駆動し、燃焼炉３に空気を流入させて、硫黄酸化物（ＳＯｘ）の増加を抑制するようになっている。しかしながら、燃焼炉３に空気を流入させると、酸素濃度（Ｏ２）が増加することになり、空燃比を一定に保つために、燃料を増加させなければならず、燃料の節約に反することになってしまう。
【００１５】
また、硫黄酸化物（ＳＯｘ）の増加を抑制する他の方法として、燃焼炉３内の温度を下げる方法もある。
そこで、燃焼炉３内の温度を下げるように設定温度を下げることになるが、設定温度の変化に追従して、各循環バルブ１４が独立してＰＩＤ制御される結果、上述したような各循環バルブ１４の開度のバラツキから、各サイクロン６ｂの入口温度のバランスが崩れることになるため、所望する設定温度に収れんするまでに多くの時間を費やさねばならず、硫黄酸化物（ＳＯｘ）の増加を効率よく抑制することができなかった。
【００１６】
本発明は、上述した循環流動層ボイラ特有の問題を解決するために提案されたものであり、循環流動層ボイラを同定した動特性モデルに基づいて予測した制御量から操作量を決定するモデル予測制御を行うとともに、このモデル予測制御に際して、バルブ開度をほぼ均一に保つような制約条件に基づいて各循環バルブを制御することで、むだ時間の変動を抑制するとともに、流動媒体の循環を安定させることで、応答性を向上させ、効率的に蒸気を発生させることができる循環流動層ボイラ装置とこの循環流動層ボイラ装置の制御方法の提供を目的とする。
【課題を解決するための手段】
【００１７】
上記目的を達成するため、本発明のボイラ装置は、所定の燃料を燃焼させるとともに、流動媒体を炉内で循環させて、蒸気を発生させるボイラ装置であって、燃料と流動媒体を流動化させて燃焼する燃焼炉と、前記燃焼炉と連通する一のパスと、前記一のパスから分岐して、前記燃焼炉とそれぞれ連通する、焼却物から流動媒体を分離する複数のサイクロンと、前記サイクロンで分離された流動媒体と水との間で熱交換を行わせる熱交換部と、前記サイクロン毎に設けられ、熱交換を行った流動媒体を前記燃焼炉に戻す複数の循環ラインと、前記各循環ラインに設けられ、前記熱交換を行った流動媒体の戻す量を増減させ、前記燃焼炉内の温度を調整する複数の循環バルブと、前記燃焼炉内の設定温度に基づき、前記各循環バルブの開度を制御する制御部と、を備え、前記制御部は、所定の制約条件に基づいて、前記各循環バルブの開度がほぼ均一となるように制御する構成としてある。
【００１８】
本発明のボイラ装置の制御方法は、所定の燃料を燃焼させるとともに、流動媒体を炉内で循環させて、蒸気を発生させるボイラ装置の制御方法であって、前記ボイラ装置は、燃料と流動媒体を流動化させて燃焼する燃焼炉と、
前記燃焼炉と連通する一のパスと、前記一のパスから分岐して、前記燃焼炉とそれぞれ連通する、焼却物から流動媒体を分離する複数のサイクロンと、前記サイクロンで分離された流動媒体と水との間で熱交換を行わせる熱交換部と、前記サイクロン毎に設けられ、熱交換を行った流動媒体を前記燃焼炉に戻す複数の循環ラインと、前記各循環ラインに設けられ、前記熱交換を行った流動媒体の戻す量を増減させ、前記燃焼炉内の温度を調整する複数の循環バルブと、前記燃焼炉内の設定温度に基づき、前記各循環バルブの開度を制御する制御部と、を備え、前記制御部が、前記循環バルブの平均開度に対して一定の開度範囲以内とする制約条件に基づき、前記各循環バルブの開度を制御する制御方法としてある。
【発明の効果】
【００１９】
本発明のボイラ装置とこのボイラ装置の制御方法によれば、むだ時間の変動を抑制するとともに、流動媒体の循環を安定させることで、応答性を向上させ、効率的に蒸気を発生させることができる。
【発明を実施するための最良の形態】
【００２０】
以下、本発明に係るボイラ装置の好ましい実施形態について、図を参照して説明する。
図１は、本実施形態に係る循環流動層ボイラ装置の制御構成を示すブロック図であり、図２は、本実施形態に係る循環流動層ボイラ装置の制御の流れを示すフローチャートである。
また、図３は、本実施形態に係る循環流動層ボイラ装置に多変数モデル予測制御を適用した場合の各種データの推移を示す図である。
図４は、本実施形態に係る循環流動層ボイラ１ａの構成を模式的に示した概略図であり、図５は、本実施形態に係る循環流動層ボイラ１ａの燃焼炉３からサイクロン６に亘る部分の構成を模式的に示す、上方から見た断面図である。
【００２１】
図４に示すように、本実施形態に係る循環流動層ボイラ１ａは、燃料を収納・送出するバンカー２と、燃焼炉３と、４基のサイクロン６ａ〜６ｄと、流動媒体と水との間で熱交換を行わせる熱交換器７と、熱交換を行った流動媒体を燃焼炉３に戻す循環ライン１３ａ〜１３ｄと、蒸気ドラム９と、燃焼炉３下部に空気を導入する一次空気ポンプ１１と、燃焼炉３上部に空気を導入する二次空気ポンプ１２と、蒸気ドラム９に給水する給水ポンプ８と、粉塵を除去する集塵機１５と、排ガスを排出するダクト１６などを備えて構成されている。
【００２２】
バンカー２には、石炭、バイオマスや廃プラスチック、廃タイヤ、汚泥、スラッジなどの主に固形燃料や、脱硫剤となる石灰石が収納され、コンベア等の送出装置により、燃焼炉３の投入口３ａから順次燃焼炉３に燃料等を投入するようになっている。
投入口３ａから投入された燃料は、燃焼炉３の最下部に位置するデンスベット部３ｂに誘導され、誘導された燃料は、珪砂や砂利、亜酸化窒素を分解するアルミナなどの固形物によって、このデンスベット部３ｂにて攪拌されて粉砕される。
【００２３】
一次空気ポンプ１１は、ライン１１ａを介して燃焼炉３下部に一次空気を導入する。この一次空気によって、粉砕された燃料と、珪砂、アルミナ、シリカ、シリカアルミナ、チタニア等の無機酸化物、砂利、石灰石などからなる流動媒体との混合粉体（以下、これらをソリッドという）が流動化した流動層が形成されるようになっている。
二次空気ポンプ１２は、ライン１２ａを介して燃焼炉３上部に二次空気を導入する。
そして、この二次空気と流動層とが混合することで、完全燃焼するようになっている。
なお、燃焼炉３内の酸素濃度（Ｏ２）は、二次空気ポンプ１２によって燃焼炉３上部に導入される空気量を制御することで、調整することができる。
【００２４】
燃焼したソリッド（焼却物）は、図５に示すように、一の流路からなるパス４を通過し、このパス４の終端部から分岐した各サイクロン６ａ〜６ｄに分かれて流入する。
各サイクロン６ａ〜６ｄに分かれて流入するソリッドの量は、各サイクロン６ａ〜６ｄに対応して設けられた循環ライン１３ａ〜１３ｄ毎の循環バルブ１４ａ〜１４ｄの開度で調整することができる。すなわち、循環バルブ１４ａ〜１４ｄは、熱交換器７において水と熱交換を行った流動媒体を燃焼炉３へ戻す量を調整すると同時に、各サイクロン６ａ〜６ｄに流入するソリッドの量を調整するようになっている。つまり、循環バルブ１４ａ〜１４ｄは、流動媒体の循環量を調整するバルブとして機能している。
【００２５】
各サイクロン６ａ〜６ｄは、空気の渦流を発生させ、その遠心力によって、粒子と気体を分離する分離装置であり、この各サイクロン６において、排ガスと、流動媒体を含むソリッドとに分離するようになっている。
分離された排ガスは、各サイクロン６の上方から、パス１０を通過し、集塵器１５に集積される。排ガスは、この集塵器１５において、灰が除去された後に、ダクト１６から排出されるようになっている。
そして、灰は、ライン１５ａを経て、図示しない灰サイロに送出され、未燃分を含む一部の灰は、リサイクルのため、ライン１５ｂとライン７ａを介して、燃焼炉３下部に戻される。
【００２６】
一方、分離された流動媒体を含むソリッドは、その一部は、熱交換器７（ＥＨＥ）に送出され、残りは、燃焼炉３内における流動層の確保と、安定した燃焼状態の維持するために、ライン７ａを介して、燃焼炉３下部に戻される。
熱交換器７（ＥＨＥ）に送出されたソリッドは、蒸気ドラム９と熱交換器７との間を循環する水と熱交換を行い、循環水を加熱・沸騰させる。
その結果、蒸気ドラム９の下流側に位置する図示しないタービンを駆動させる動力源として、蒸気ドラム９から蒸気を発生させることができるようになっている。
そして、この熱交換を行った流動媒体を含むソリッドは、循環ライン１３ａ〜１３ｄを介して、燃焼炉３上部に戻される。このとき戻される量は、前述したように、各循環バルブ１４ａ〜１４ｄの開度を調整することで、増減させることができる。
【００２７】
このように、循環ライン１３ａ〜１３ｄを介して、燃焼炉３上部に戻されるソリッドは、循環水と熱交換を行った、冷却されたものであることから、この戻す量を増減させることで、燃焼炉３内の温度を制御することができる。
そこで、本実施形態の循環流動層ボイラ装置１では、後述する制御部において、パス４における各サイクロン６の入口付近に配置した温度計５ａ〜５ｄを監視して、各サイクロン６の入口付近の温度が設定温度となるように、各循環バルブ１４ａ〜１４ｄの開度を制御している。すなわち、制御部は、各サイクロン６の入口付近の設定温度を操作変数として、循環バルブ１４ａ〜１４ｄの開度を制御して、燃焼炉３内の温度を調整している。
さらに制御部では、各循環バルブ１４ａ〜１４ｄの開度を制御変数として監視し、所定の制約条件に基づいて、各循環バルブ１４ａ〜１４ｄの開度がほぼ均一となるような操作量を求め、この操作量を各サイクロン６の入口付近の設定温度として設定するようになっている。
【００２８】
次に、循環流動層ボイラ装置１の制御構成について図１と図２を参照しつつ、説明する。
図１に示すように、循環流動層ボイラ装置１は、図４に示した循環流動層ボイラ１ａ（以下、プラントという場合もある。）と、プラントとの入出力インターフェイス及びプラントに対してＰＩＤ（比例・積分・微分）制御を行うＤＣＳ（分散型制御システム）２０と、プラントからの入力データ（制御量）を記憶しつつ、各種制約条件に基づき入力データを監視するデータベースサーバ３０と、プラントにおける各プロセスを同定した動特性モデルに基づき、モデル予測制御を行うとともに、各種制約条件に基づき出力データを監視してＤＣＳ２０に出力データ（操作量）を出力する制御サーバ４０と、データベースサーバ３０と制御サーバ４０とに接続されたプラントの制御状態を確認可能な操作パネル５０などを備えている。
ＤＣＳ２０とデータベースサーバ３０、制御サーバ４０及び操作パネル５０は、集中演算処理装置（ＣＰＵ）を有する情報処理装置（コンピュータ）であり、それぞれがＬＡＮ（ローカル・エリア・ネットワーク）接続され、本発明の制御部を構成している。
【００２９】
操作パネル５０は、プラントの制御状態などを表示する表示部と、各種制約条件や、動特性モデル毎のプロセスゲイン、時定数及びむだ時間等のパラメータを予め設定可能な入力部を備えている。
ＤＣＳ（分散型制御システム）２０は、ＰＩＤ演算を行うＰＩＤ演算部２１を有しており、循環流動層ボイラ１ａからの制御量を監視し、この制御量や設定値に基づいて操作量を算出し、操作量に対応するアクチュエータを操作して、循環流動層ボイラ１ａを制御する。この場合の設定値は、後述の制御サーバ４０の多変数モデル予測制御部４１から出力されるようになっている。
なお、各循環バルブ１４ａ〜１４ｄをＰＩＤ制御するＰＩＤパラメータ（比例、積分、微分定数）は、各循環バルブ１４ａ〜１４ｄとも同じ値として設定してある。
これにより、ＰＩＤ制御によって生じる開度のバラツキをなくすことができる。
ここで、制御部が、循環流動層ボイラ１ａを制御するにあたり、制御対象となる制御変数（ＣＶ）と、この制御変数を維持するために操作される操作変数（ＭＶ）を、以下のように選定する。
【００３０】
ａ．制御変数
（１）蒸気発生量（Ｓ）：蒸気ドラム９から発生する蒸気量で、設定された目標値に追従させる。
（２）酸素濃度（Ｏ２）：燃焼炉３内の排ガス中に含まれる酸素濃度で、主に、不完全燃焼による失火、窒素酸化物の増加防止、アフターバーニングの防止、燃料の節約などを目的として計測し、酸素濃度（Ｏ２）が運転時の制約条件（例えば、４％〜５．５％）を満たすように制御する。
（３）硫黄酸化物濃度（ＳＯｘ）：環境対策として排出量が規制され、蒸気発生量の目標値変更や燃焼炉３内の温度の高低によって変動する値であって、主に排ガス中に含まれる二酸化硫黄（ＳＯ２）の濃度を計測して、二酸化硫黄（ＳＯ２）濃度が運転時の制約条件（例えば、０ｐｐｍ〜１３０ｐｐｍ）を満たすように制御する。
（４）循環バルブ１４ａ〜１４ｄの開度：燃焼炉３に戻す流動媒体の量を増減させるバルブ開度を計測し、後述する制約条件に基づき、各循環バルブ１４の開度がほぼ均一になるように制御する。
（５）その他：デンスベッド部３ｂの温度、燃焼炉３の上下部間の差圧などを計測し、循環流動層ボイラ１ａの運転状態を制御する。
【００３１】
ｂ．操作変数
（１）燃料投入量（Ｃ）：石炭を主とする燃料の投入量であって、主に蒸気発生量（Ｓ）を増減させるために操作されるが、酸素濃度Ｏ２や二酸化硫黄濃度ＳＯ２にも影響を及ぼす。
（２）二次空気量：二次空気ポンプ１２から燃焼炉３に流入される空気量であって、主に酸素濃度Ｏ２を増減させるために操作されるが、二酸化硫黄濃度ＳＯ２にも影響を及ぼす。
（３）各サイクロン６の入口設定温度：このサイクロン６の入口設定温度を操作することで、温度計５ａ〜５ｄがこの設定値を示すように、循環バルブ１４ａ〜１４ｄが制御される。主に二酸化硫黄濃度ＳＯ２が制約条件を満たすように操作される。
（４）その他：燃焼炉３内差圧の設定値を操作する。
【００３２】
また、その他の燃焼に影響を与える変数として、集塵器１５から燃焼炉３に未燃分としてリサイクルされる灰の量を、外乱変数として選定した。このリサイクル量は、集塵器１５の入口温度に基づいて回転数が変化するモータの回転数を間接的に計測することで求められるが、直接計測されるものでないため、外乱変数としてある。
【００３３】
次に、データベースサーバ３０は、プラントからの各種入力データ（制御量）や、各種制約条件、プラントにおける各プロセスを同定した動特性モデルの数式などを記憶するデータベース３１と、入力データを監視する入力チェック部３２を備えている。
【００３４】
データベース３１には、プラントから前述した蒸気発生量Ｓ（ｔ／ｈ）、酸素濃度Ｏ２（％）、二酸化硫黄濃度ＳＯ２（ｐｐｍ）、循環バルブ１４ａ〜１４ｄの開度（％）、各サイクロン６の入口温度（℃）などの入力データが所定のサンプリング周期で入力され、これらの入力データは、逐次記憶されるとともに、各々に対応する制約条件とともに、操作パネル５０に表示される。
【００３５】
また、データベース３１には、プラントにおける各プロセスを同定した近似式である、動特性モデルを記憶している。
制御対象となる循環流動層ボイラ１ａは、発熱量が変動する燃料を用いるとともに、伝熱の応答特性が悪い珪砂などの流動媒体を伝熱媒体としていることから、本実施形態における動特性モデルは、プロセスゲインＫ、むだ時間Ｌと時定数Ｔを有する一次遅れ系のプロセスとして同定している。
ここで同定される動特性モデルは、事前に行われた試運転において予め決定したものを用いており、具体的には、前述した各操作変数を各々独立してステップ状に変化させ、各制御変数及び外乱変数の応答特性を観測し、この応答特性に近似した、プロセスゲインＫ、むだ時間Ｌと時定数Ｔを有する一次遅れ系のステップ応答モデルを動特性モデルとしたものである。
【００３６】
例えば、操作変数である各サイクロン６の入口設定温度をステップ状に変化させることで、この変化に基づく、二酸化硫黄濃度（ｐｐｍ）の応答特性（ステップ応答）を同定した動特性モデルと、循環バルブ１４ａ〜１４ｄの開度（％）の応答特性（ステップ応答）を同定した動特性モデルとを予め設定しておくことができる。同様にして、前述した各操作変数に対する、各制御変数及び外乱変数の応答特性を同定した動特性モデルを予め設定し、これらの動特性モデルの数式をモデルデータとしてデータベース３１に記憶してある。
これにより、後述の制御サーバ４０の多変数モデル予測制御部４１において、これらの動特性モデルに基づいて、未来の制御量を予測し、操作量を算出できるようになっている。
【００３７】
また、データベース３１には、各種制約条件が記憶されている。
制約条件には、入力チェック部３２及び出力チェック部４２において異常を判定するときに入出力データと比較される異常時の制約条件と、多変数モデル予測制御部４１が未来の制御量を予測し、操作量を算出するに伴い参照される運転時の制約条件とが記憶されている。
異常時の制約条件としては、例えば、酸素濃度Ｏ２が異常時の上限値（例えば、２１％）や、二酸化硫黄濃度ＳＯ２が異常時の上限値（例えば、２００ｐｐｍ）などが記憶されている。
また、運転時の制約条件としては、酸素濃度Ｏ２の運転時の制約条件（例えば、４％〜５．５％）や、二酸化硫黄濃度ＳＯ２の運転時の制約条件（例えば、０．０ｐｐｍ〜１３０ｐｐｍ）などが記憶されている。
【００３８】
特に、運転時の制約条件として、各循環バルブ１４ａ〜１４ｄの開度（％）がほぼ均一の開度となるように制御するために、二つの制約条件が記憶されている。
具体的には、第一の制約条件としては、すべての循環バルブ１４の開度から算出される平均開度（Ｖａ）に対して、各循環バルブ１４ａ〜１４ｄの開度（％）を、一定とする範囲（例えば、±１５％）が記憶されている。
また、第二の制約条件としては、循環バルブ１４ｂと循環バルブ１４ｃの開度差（Ｖｓ）を、一定とする範囲（例えば、±５％）が記憶されている。
データベース３１には、これらの制約条件となる制約式（範囲）が記憶され、多変数モデル予測制御部４１において、予測された未来の制御量が、この制約式を満たすような操作量を探索するようになっている。
【００３９】
また、データベース３１には、多変数モデル予測制御部４１が未来の制御量を予測し、最適な操作量を算出する評価関数が記憶されている。
多変数モデル予測制御における評価関数は、様々な定義方法があるが、次式に示すように、操作量の更新値を変数とした評価関数が一般的である。
（制御量の予測値−制御量の目標値）２＋（操作量の更新値）２
そして、多変数モデル予測制御部４１では、上記の評価関数が最小となるような値を操作量として更新する。
なお、上記の評価関数において、短い操作周期で一気に目標値に達するように制御するのではなく、徐々に目標値になるように制御するための参照軌道を導入したり、重み係数として、算出される操作量（操作変数）毎に燃料費などのコスト削減を考慮したパラメータを設定したりすることもできる。
また、データベース３１は、多変数モデル予測制御部４１が算出した結果（操作量）を算出履歴として記憶・管理しており、この記憶された算出結果が、後述する出力チェック部４２において、出力データとして参照される。
【００４０】
一方、入力チェック部３２は、制御サーバ４０に受け渡す入力データを監視している。例えば、蒸気発生量Ｓ（ｔ／ｈ）、酸素濃度Ｏ２（％）、二酸化硫黄濃度ＳＯ２（ｐｐｍ）、循環バルブ１４ａ〜１４ｄの開度（％）、各サイクロン６の入口温度（℃）などの入力データ（制御量）を、データベース３１に記憶された異常時の制約条件と比較して、入力データがこの制約条件から外れたときに、制御を停止する信号を出力するようになっている。
また、入力チェック部３２は、制御サーバ４０に受け渡す入力データの性状推定や、フィルタリングなどのデータ加工も行うようになっている。
【００４１】
次に、制御サーバ４０には、出力データ（操作量）を算出する多変数モデル予測制御部４１と、出力データを監視する出力チェック部４２を備えている。
多変数モデル予測制御部４１は、インストールされた市販の多変数モデル予測制御プログラムに基づき、制御周期（例えば、１分）毎に、以下のような処理を実行して、出力データ（操作量）を算出する。
【００４２】
具体的には、多変数モデル予測制御部４１は、データベース３１に記憶された過去の入力データ（制御量）から、動特性モデルの数式に基づき、未来における一定の予測区間にわたる制御量の予測値を算出する。
そして、この予測された制御量が評価関数の値を最小とし、かつ、入出力データの運転時の制約条件を満たす範囲内で、操作量を探索する最適化計算（例えば、二次計画法）を行う。
さらに、算出した操作量を、出力データ（操作量）として、プラントに出力し、次の制御周期において、この結果プラントから入力された入力データ（制御量）を加味して、一制御周期分未来にシフトした予測区間における制御量の予測値を算出する。そして、評価関数を最小化し、運転時の制約条件を満たす操作量を探索する最適化計算を繰り返す。
多変数モデル予測制御部４１では、以上のような処理をすべての操作変数に対して行い、操作量を算出している。
【００４３】
同様に、この多変数モデル予測制御部４１は、前述した各循環バルブ１４ａ〜１４ｄの開度（％）がほぼ均一の開度となるように制御するための二つの制約条件を満した操作量（各サイクロン６の入口設定温度）を算出している。
【００４４】
具体的には、各循環バルブ１４ａ〜１４ｄの開度（％）と各サイクロン６の入口温度は、プラントからの入力データとして、逐次データベース３１に記憶されている。さらに、データベース３１には、各サイクロン６の入口設定温度をステップ状に変化させた場合の循環バルブ１４ａ〜１４ｄの開度（％）の応答特性を同定した動特性モデルと、前述の第一の制約条件及び第二の制約条件が予め記憶されている。
また、この多変数モデル予測制御部４１は、各循環バルブ１４ａ〜１４ｄの開度（％）から、平均開度（Ｖａ）と、循環バルブ１４ｂと循環バルブ１４ｃの開度差（Ｖｓ）を、制御周期毎に算出する。
【００４５】
そして、多変数モデル予測制御部４１では、この入力データと動特性モデルに基づき、未来における一定の予測区間にわたる循環バルブ１４ａ〜１４ｄの開度（％）の予測値を算出し、この予測された開度が評価関数の値を最小とし、かつ、二つの制約条件を満たす、各サイクロン６の入口設定温度を探索する最適化計算を行う。
【００４６】
最適化計算では、例えば、第一の制約条件を満たすように、算出された各循環バルブ１４ａ〜１４ｄの開度（％）の予測値が、この予測値から算出される平均開度（Ｖａ）から一定の範囲外にあるときは、この範囲におさまるように予測値を補正し、この補正した予測値に基づいた操作量（各サイクロン６の入口設定温度）を算出する。
同様に、第二の制約条件を満たすように、算出された循環バルブ１４ｂと循環バルブ１４ｃの開度差（％）の予測値が、一定の範囲外にあるときは、この範囲におさまるように循環バルブ１４ｂと循環バルブ１４ｃの開度（％）の予測値を補正し、この補正した予測値に基づいた操作量（各サイクロン６の入口設定温度）を算出する。
【００４７】
その結果、算出された各サイクロン６の入口設定温度（操作量）を、ＤＣＳ２０を介してプラントに出力すると、各循環バルブ１４ａ〜１４ｄの開度は、すべての循環バルブ１４の開度から算出される平均開度（Ｖａ）に対して、一定の範囲内（例えば、±１５％）に制御されるとともに、循環バルブ１４ｂと循環バルブ１４ｃの開度差（Ｖｓ）は、一定の範囲内（例えば、±５％）に制御される。
【００４８】
このように、循環バルブ１４ａ〜１４ｄの開度をほぼ均一の開度となるように制御することで、各循環バルブ１４ａ〜１４ｄの開度のバラツキがなくなることから、各サイクロン６に流入するソリッドの量や、燃焼炉３に戻される流動媒体の量が、サイクロン６毎にほぼ一定量となり、ソリッド及び流動媒体の安定した循環が図られる。
その結果、各サイクロン６の入口温度もほぼ同じ値を示すようになり、硫黄酸化物（ＳＯｘ）の増加を抑制するために、燃焼炉３内の設定温度を制御する場合においても、循環バルブ１４ａ〜１４ｄがほぼ同じ挙動を示すようになり、所望する設定温度に収れんさせるまでに費やす時間を短縮できる。すなわち、プラントの応答特性を向上させることができる。
【００４９】
出力チェック部は、安全対策の面から、ＤＣＳ２０に出力される操作量の最終チェックを行っている。具体的には、燃料投入量（Ｃ）、二次空気量、各サイクロン６の入口設定温度などの出力データを、データベース３１に記憶された異常時の制約条件と比較して、出力データがこの制約条件から外れたときに、制御を停止する信号を出力するようになっている。
【００５０】
次に、ＤＣＳ２０とデータベースサーバ３０、制御サーバ４０及び操作パネル５０からなる本実施形態の制御部が、一制御周期毎に行う循環流動層ボイラ１ａの制御処理について、図２のフローチャートを参照して説明する。
まず、ＤＣＳ２０からの入力データ（制御量）は、データベースサーバ３０に読込まれ、データベース３１に記憶される（Ｓ１０）。
次に、入力チェック部３２において、入力データの性状推定、フィルタリングなどのデータ加工及び入力データを異常時の制約条件に基づいて判定する入力データチェックが行われる（Ｓ１１）。入力データが異常値と判定された場合には（Ｓ１２−ＹＥＳ）、プラントの制御を停止する処理を行う（Ｓ１７）。
一方、入力データが異常値でない場合には（Ｓ１２−ＮＯ）、多変数モデル予測制御部４１において、この入力データと動特性モデルに基づき、制御量の予測値を算出する（Ｓ１３）。
続いて、多変数モデル予測制御部４１において、制御量の予測値が評価関数を最小化し、運転時の制約条件を満たす操作量を探索する最適化計算を行い、操作量を算出する（Ｓ１４）。
このとき、各循環バルブ１４ａ〜１４ｄの開度（％）がほぼ均一の開度となるように制御するための二つの制約条件を満した操作量（各サイクロン６の入口設定温度）をも算出している。
そして、出力チェック部４２において、算出された操作量を異常時の制約条件に基づいて判定チェックする出力データチェックが行われる（Ｓ１５）。出力データが異常値と判定された場合には（Ｓ１６−ＹＥＳ）、プラントの制御を停止する処理を行う（Ｓ１７）。一方、出力データが異常値でない場合には（Ｓ１６−ＮＯ）、算出された操作量を出力データとしてＤＣＳ２０に出力する（Ｓ１９）。
ＤＣＳ２０は、ＰＩＤ演算部２１において、この出力データを設定値として、制御量との偏差に基づいてＰＩＤ演算を行うことで、実際の操作量を算出し、算出した操作量を各アクチュエータに入力するようになっている。このとき、各循環バルブ１４ａ〜１４ｄをＰＩＤ制御するＰＩＤパラメータは同じ値が設定されていることから、各循環バルブ１４ａ〜１４ｄは、二つの制約条件に従い、ほぼ均一な開度となるように制御される。
そして、この操作結果に基づく制御量は、再びＤＣＳ２０からデータベースサーバ３０に読込まれ、その後は上記の制御処理が繰り返される。
【００５１】
このように本実施形態の制御部は、循環流動層ボイラ１ａを同定した動特性モデルに基づいて、循環流動層ボイラ１ａを制御する多変数モデル予測制御を行っている。
多変数モデル予測制御は、プラント制御に特有のむだ時間補償や、未来予測制御によって応答特性の改善に効果的な制御方法として知られており、特に、本実施形態の制御対象である、発熱量が変動する燃料を用いるとともに、伝熱の応答特性が悪い珪砂などの流動媒体を伝熱媒体としている循環流動層ボイラ１ａに対しては、最適な制御方法とすることができる。
実際に、本実施形態の多変数モデル予測制御を、循環流動層ボイラ１ａに適用した場合の各種データの推移を図３に示す。
【００５２】
図３は、蒸気発生量Ｓ（ｔ／ｈ）の設定値を３０％変動させた場合における、蒸気発生量Ｓ（ｔ／ｈ）と、石炭投入量Ｃ（ｔ／ｈ）と、酸素濃度Ｏ２（％）と、二酸化硫黄濃度ＳＯ２（ｐｐｍ）の時間の経過に伴う推移を表した図である。
図３に示すように、石炭投入量Ｃ（ｔ／ｈ）の変動に対応して、蒸気発生量Ｓ（ｔ／ｈ）が、むだ時間を生じることなく、追従して応答している（図６比較参照）。
また、蒸気発生量Ｓ（ｔ／ｈ）が変動しても、酸素濃度Ｏ２（％）と、二酸化硫黄濃度ＳＯ２（ｐｐｍ）を、運転時の制約条件に拘束させることができた。
【００５３】
以上のように本実施形態に係る循環流動層ボイラ装置１とこの循環流動層ボイラ装置１を制御する制御方法によれば、むだ時間の変動を抑制するとともに、流動媒体の循環を安定させることで、循環流動層ボイラ１ａの応答性を向上させ、効率的に蒸気を発生させることができる。
【００５４】
以上、本発明のボイラ装置とこのボイラ装置を制御する制御方法の好ましい実施形態について説明したが、本発明に係るボイラ装置とこのボイラ装置を制御する制御方法は上述した実施形態にのみ限定されるものではなく、本発明の範囲で種々の変更実施が可能であることはいうまでもない。
例えば、本実施形態の循環流動層ボイラ１ａを同定する動特性モデルとして、むだ時間と一次遅れを有するステップ応答モデルと同定したが、ＡＲＸモデルや状態空間モデル等の他の動特性モデルを用いることもできる。
【産業上の利用可能性】
【００５５】
本発明は、石炭やバイオマス、産業廃棄物等を燃料とし、粉砕した燃料と珪砂などの流動媒体を流動化させて燃焼する循環流動層ボイラや循環流動層燃焼装置に広く利用することができる。
【図面の簡単な説明】
【００５６】
【図１】本発明の一実施形態に係る循環流動層ボイラ装置の制御構成を示すブロック図である。
【図２】本発明の一実施形態に係る循環流動層ボイラ装置の制御の流れを示すフローチャートである。
【図３】本発明の一実施形態に係る循環流動層ボイラ装置に多変数モデル予測制御を適用した制御結果を示す図である。
【図４】本発明の一実施形態に係る循環流動層ボイラの構成を模式的に示した概略図である。
【図５】本発明の一実施形態に係る循環流動層ボイラの燃焼炉からサイクロンに亘る部分の構成を模式的に示す、上方から見た断面図である。
【図６】従来の制御における石炭投入量を時間の経過とともに変化させた場合の蒸気発生量の変化を示す図である。
【符号の説明】
【００５７】
１  循環流動層ボイラ装置（制御部含む）
１ａ  循環流動層ボイラ
２  バンカー
３  燃焼炉
４  パス
５  温度計（５ａ〜５ｄ）
６  サイクロン（６ａ〜６ｄ）
７  熱交換器
８  給水ポンプ
９  蒸気ドラム
１０  パス
１１  一次空気ポンプ
１２  二次空気ポンプ
１３  循環ライン（１３ａ〜１３ｄ）
１４  循環バルブ（１４ａ〜１４ｄ）
１５  集塵器
１６  ダクト
【図１】
2010145018.tif 000003
【図２】
2010145018.tif 000004
【図３】
2010145018.tif 000005
【図４】
2010145018.tif 000006
【図５】
2010145018.tif 000007
【図６】
2010145018.tif 000008